(57)【要約】【課題】対象物の高さに応じて対象物の傾きを変更可能として、支持することができる昇降式什器を提供する。【解決手段】昇降式什器１００は、床面Ｆ上に設置される下部構造体１０と、下部構造体１０に昇降可能に支持された上部構造体３と、を備え、上部構造体３は、対象物を支持する下部支持部材７０と、下部支持部材７０で対象物を支持する支持位置よりも上方となる支持位置で、対象物を支持する上部支持部材６０と、を有し、下部支持部材７０及び上部支持部材６０の少なくともいずれか一方は、利用者が上部構造体３に対向する対向方向に移動可能とされていることを特徴とする。【選択図】図１
2018068948.tif 000002
【特許請求の範囲】
【請求項１】
床面上に設置される下部構造体と、
該下部構造体に昇降可能に支持された上部構造体と、を備え、
前記上部構造体は、
対象物を支持する下部支持部材と、
前記下部支持部材で対象物を支持する支持位置よりも上方となる支持位置で、前記対象物を支持する上部支持部材と、を有し、
前記下部支持部材及び前記上部支持部材の少なくともいずれか一方は、利用者が前記上部構造体に対向する対向方向に移動可能とされていることを特徴とする昇降式什器。
【請求項２】
前記上部構造体は、前記下部構造体に支持され、上面に載置面を有する天板を有し、
該下部支持部材は、前記天板の前記載置面に載置され、前記天板上を前記対向方向に移動可能であることを特徴とする請求項１に記載の昇降式什器。
【請求項３】
前記上部構造体は、前記天板から上方に延び、前記対向方向に沿って配置され、前記対向方向と直交し前記天板の前記載置面に沿う直交方向に離間して配置された一対の移動規制部を有し、
前記下部支持部材は、前記一対の移動規制部の間に、前記直交方向の移動が規制されつつ配置されていることを特徴とする請求項２に記載の昇降式什器。
【請求項４】
前記上部支持部材は、前記天板の上方に設けられた棚板を有し、
前記対象物は、前記棚板の前記利用者が対向する端部に支持されていることを特徴とする請求項２または３に記載の昇降式什器。
【請求項５】
前記下部支持部材は、
物品を収容可能な物品収容部と、
前記対象物の下部を支持する下部支持部と、を有することを特徴とする請求項１から４のいずれか一項に記載の昇降式什器。
【発明の詳細な説明】
【技術分野】
【０００１】
本発明は、昇降式什器に関する。
【背景技術】
【０００２】
執務空間においては、執務者に作業エリアを提供するためにデスクが配置されていることが一般的である。このようなデスクにおいて、作業のし易い天板高さは、執務者の体格や性別、嗜好、作業内容等によって個々によって大きく異なる。そこで、天板高さを上下に変更可能とした天板昇降式什器が知られている（下記特許文献１参照）。
【０００３】
ところで、近年、スマートフォンやタブレット型コンピュータ等の電子機器を用いての業務が広まりつつある。利用者が什器の天板上に電子機器を載置して使用する際には、電子機器を後傾させた方が見やすい。例えば、テーブルの載置面に後傾した傾斜面が設けられ、当該傾斜面に沿って電子機器を支持可能な支持台が提案されている（下記特許文献２参照）。
【０００４】
電子機器に対して利用者の目線が高い場合には、傾斜面の角度が緩やかな方が見やすく、利用者の目線の高さが低い場合には、傾斜面の角度が急な方が見やすい等、利用者の姿勢や好み等により、電子機器のディスプレイの角度を変化できる方が好ましい。特に、天板昇降式什器で天板に電子機器が載置された場合には、天板の高さの変化により、電子機器の視認性が低下することがある。
【０００５】
そこで、電子機器の入力装置にスライド部材を設け、ディスプレイに支持部を設け、これらスライド部材と支持部とをヒンジで連結した支持装置が提案されている。ヒンジによりスライド部材と支持部との角度を変えることで、ディスプレイの角度を変えることが可能である（下記特許文献３参照）。
【先行技術文献】
【特許文献】
【０００６】
【特許文献１】特開２０１６−８７０２５号公報
【特許文献２】実用新案登録第３１８７４１９号公報
【特許文献３】特開２０１５−２２７６７号公報
【発明の概要】
【発明が解決しようとする課題】
【０００７】
しかしながら、上記の特許文献３では、スライド部材、ヒンジ及び支持部等の支持装置を入力装置やディスプレイに固定しなくてはならず、単に電子機器を持ち歩いて使用する際等には支持装置が不要となり、体裁が悪いという問題点がある。このため、昇降式什器自体で、電子機器等の対象物の傾きを変更可能とする構成が望まれている。
【０００８】
本発明は、上記事情に鑑みてなされたものであり、対象物の高さに応じて対象物の傾きを変更可能として、支持することができる昇降式什器を提供するものである。
【課題を解決するための手段】
【０００９】
本発明は、上記課題を解決するため、以下の手段を採用する。
すなわち、本発明に係る昇降式什器は、床面上に設置される下部構造体と、該下部構造体に昇降可能に支持された上部構造体と、を備え、前記上部構造体は、対象物を支持する下部支持部材と、前記下部支持部材で対象物を支持する支持位置よりも上方となる支持位置で、前記対象物を支持する上部支持部材と、を有し、前記下部支持部材及び前記上部支持部材の少なくともいずれか一方は、利用者が前記上部構造体に対向する対向方向に移動可能とされていることを特徴とする。
【００１０】
このように構成された昇降式什器では、床面上に設置される下部構造体により、下部支持部材及び上部支持部材の高さが変化する。これにより、下部支持部材及び上部支持部材に支持された対象物の高さが変化する場合には、下部支持部材及び上部支持部材の少なくともいずれか一方を、利用者が上部構造体に対向する対向方向に移動させることで、下部支持部材及び上部支持部材に支持された対象物の後傾の傾きを変えることができる。よって、対象物の高さに応じて、対象物の後傾の傾きを変更しつつ、対象物を支持することができる。
【００１１】
また、本発明に係る昇降式什器では、前記上部構造体は、前記下部構造体に支持され、上面に載置面を有する天板を有し、該下部支持部材は、前記天板の前記載置面に載置され、前記天板上を前記対向方向に移動可能であることが好ましい。
【００１２】
このように構成された昇降式什器では、下部支持部材は、下部構造体に支持された天板の載置面に載置されていて、天板上を対向方向に移動可能である。よって、下部支持部材を利用者に近接する方向に移動させることで対象物が大きく後傾した姿勢になり、下部支持部材を利用者から離間する方向に移動させることで対象物が鉛直方向に沿った姿勢や鉛直方向から小さく後傾した姿勢になる。よって、下部支持部材を天板上で移動させるだけで対象物の後傾の傾きが変わるため、対向方向に移動可能な下部支持部材の構成を簡易な構成とすることができる。
【００１３】
また、本発明に係る昇降式什器では、前記上部構造体は、前記天板から上方に延び、前記対向方向に沿って配置され、前記対向方向と直交し前記天板の前記載置面に沿う直交方向に離間して配置された一対の移動規制部を有し、前記下部支持部材は、前記一対の移動規制部の間に、前記直交方向の移動が規制されつつ配置されていてもよい。
【００１４】
このように構成された昇降式什器では、上部構造体は天板から上方に延び、対向方向に沿って配置され、対向方向と直交し天板の載置面に沿う直交方向に離間して配置された一対の移動規制部を有する。下部支持部材は一対の移動規制部の間に、直交方向の移動が規制されつつ配置されている。よって、下部支持部材を対向方向に移動させる際に、直交方向への位置ずれが抑制され、対象物の後傾の傾きの調整がしやすい。
【００１５】
また、本発明に係る昇降式什器では、前記上部支持部材は、前記天板の上方に設けられた棚板を有し、前記対象物は、前記棚板の前記利用者が対向する端部に支持されていてもよい。
【００１６】
このように構成された昇降式什器では、対象物は天板の上方に設けられた棚板の利用者が対向する端部に支持されている。よって、対象物を支持する上部支持部材の構成を簡易な構成とすることができる。
【００１７】
また、本発明に係る昇降式什器では、前記下部支持部材は、物品を収容可能な物品収容部と、前記対象物の下部を支持する下部支持部と、を有していてもよい。
【００１８】
このように構成された昇降式什器では、下部支持部材は、物品を収容可能な物品収容部と、対象物の下部を支持する下部支持部と、を有する。よって、下部支持部材自体で、物品の収容が可能であるとともに、対象物の下部を支持可能であるため、物品収容部を別途設ける必要がなく、利便性が高い。
【発明の効果】
【００１９】
本発明に係る昇降式什器によれば、対象物の高さに応じて対象物の傾きを変更可能として、支持することができる。
【図面の簡単な説明】
【００２０】
【図１】本発明の一実施形態に係る昇降式什器の全体構成を示す斜視図である。
【図２】本発明の一実施形態に係る昇降式什器の脚体が伸縮可能する様子を示す側面図である。
【図３】図１のＡ−Ａ断面図である。
【図４】本発明の一実施形態に係る昇降式什器の下部支持部材及びその周辺を示す拡大図である。
【図５】本発明の一実施形態に係る昇降式什器の下部支持部材の斜視図である。
【図６】本発明の一実施形態に係る昇降式什器の下部支持部材及びその周辺を示す拡大図であり、下部支持部材及び上部支持部材が対象物を支持した状態を示している。
【発明を実施するための形態】
【００２１】
以下、添付図面を参照して、本発明に係る昇降式什器を実施するための形態を説明する。しかし、本発明はこの実施形態のみに限定されるものではない。
【００２２】
図１は、本発明の一実施形態に係る昇降式什器の全体構成を示す斜視図である。図２は、本発明の一実施形態に係る昇降式什器の脚体が伸縮する様子を示す側面図である。
図１及び図２に示すように、天板昇降式デスク（昇降式什器）１００は、一対の脚体１と、これら一対の脚体１間を連結する連結部材２（図３参照）と、脚体１に支持された上部構造体３と、を備えている。
以下の説明において、便宜上、利用者が天板昇降式に向かう側を「前方」と称し、反対側を「後方」と称する。また、これら前方と後方とを結ぶ前後方向（対向方向）と直交し水平方向に沿う方向を「幅方向」（左右方向）と称する。
【００２３】
脚体１は、上部構造体３の幅方向に間隔を有して配置されている。脚体１は床面Ｆ上に設置されたベース部材１１と、ベース部材１１から起立して上方に延び、上部構造体３を支持する脚部材１２と、を備えている。
【００２４】
ベース部材１１は、例えば前後方向に長い長方形状をなしている。ベース部材１１の前後両端部の下面には、それぞれアジャスター１１ａが設けられ、床面Ｆからの高さ調整が可能となっている。
【００２５】
脚部材１２は、ベース部材１１に固定された下部支持体１２ａと、下部支持体１２ａ内から上下方向に昇降可能に収容された中間支持体１２ｂと、中間支持体１２ｂ内から上下方向に昇降可能に収容された上部支持体１２ｃと、を有している。上部支持体１２ｃの上端部に上部構造体３が支持されている。
【００２６】
これら下部支持体１２ａ、中間支持体１２ｂ及び上部支持体１２ｃは、例えば四角形筒状に形成されているが、円筒状等でもよく、水平断面形状は任意の筒状でよい。下部支持体１２ａに対して中間支持体１２ｂ及び上部支持体１２ｃがそれぞれ上下方向に出没することで脚部材１２の上下方向長さを調整することができる。
【００２７】
なお、本実施形態では、下部支持体１２ａに対して中間支持体１２ｂと上部支持体１２ｃとを上下方向に出没可能に配設したが、上部構造体３を上下動させるには少なくとも下部支持体１２ａと上部支持体１２ｃとを備えていればよい。または、中間支持体１２ｂを複数設けて互いに出没可能としてもよい。
本実施形態では、脚体１と、連結部材２とが下部構造体１０を構成している。
【００２８】
上部構造体３は、脚体１に支持された天板体３０と、引き出し４０と、天板体３０の幅方向の両端部に設けられた側板パネル（移動規制部）５０と、側板パネル５０間に架設された棚板６０と、天板体３０に載置されたトレイ７０と、を有している。
【００２９】
天板体３０は、脚体１の上部支持体１２ｃ及び連結部材２の上面に支持されて設けられている。天板体３０は、上部支持体１２ｃ及び連結部材２に、溶接またはボルト等によって接合されている。天板体３０は、幅方向に長い平面視長方形状をなしている。
【００３０】
図３は、図１のＡ−Ａ断面図である。
図１及び図３に示すように、天板体３０は、水平面に沿って板状に配置された天板３１と、天板３１の前端部３１ｆの下部に設けられた下部補助部材３６と、を有している。天板３１と下部補助部材３６とは、接合され、一体とされている。図３に示すように、天板３１の上面には、水平面に沿い物品が載置可能な作業面（載置面）３１ｕが形成されている。
【００３１】
下部補助部材３６は、天板３１の左右両側に設けられている。換言すると、天板３１において、左右方向の中央には、下部補助部材３６が設けられていない。下部補助部材３６が設けられていない左右方向の中央には、引き出し４０が設けられている。
【００３２】
例えば、天板３１の下面３１ｃには、引き出し４０の側板４２に沿って配置された引き出し支持部（不図示）が設けられ、当該引き出し支持部に前後方向に延びるレール（不図示）が設けられている。引き出し４０は、レールに沿って、天板３１に対して前後方向に移動可能、つまり天板３１の下方に収容された位置から、天板３１の下方から前方に突出した位置に移動可能とされている。
【００３３】
図１に示すように、天板体３０の左右方向両端部には、側板パネル５０が設けられている。側板パネル５０は、前側に配置された前側板部５１と、前側板部５１に連続して前側板部５１よりも後方に配置された後側板部５２と、を有している。前側板部５１の高さは、後側板部５２の高さよりも低い。後側板部５２の前部には、上方から下方に向かうにしたがって次第に前方に傾斜する傾斜面５２ｓが形成されている。
【００３４】
左右方向に離間して配置された側板パネル５０間には、上面が載置面とされた棚板（上部支持部材）６０が架設されている。
【００３５】
図３に示すように、棚板６０の前後方向の長さは、天板３１の前後方向の長さよりも随分短く、棚板６０は天板３１の後部寄りに配置されている。棚板６０の前端部６０ｆは、天板３１の前端部３１ｆよりも後方に配置されている。
【００３６】
例えば、棚板６０の左右両端部及び天板３１の左右両端部に設けられたダボが側板パネル５０に設けられたダボ穴に挿通されて、棚板６０及び天板３１は側板パネル５０に固定されている。
【００３７】
左右方向に離間して配置された側板パネル５０間には、前後方向及び鉛直面に沿う仕切りパネル（移動規制部）５６が左右方向に離間して一対設けられている。仕切りパネル５６の前部には、上方から下方に向かうにしたがって次第に前方に傾斜する傾斜面５６ｓが形成されている。
【００３８】
例えば、仕切りパネル５６の下端部は、天板３１に接着等により接合されている。仕切りパネル５６の上端部に設けられたダボが棚板６０の下面に設けられたダボ穴に挿通されて、仕切りパネル５６は棚板６０に固定されている。
【００３９】
天板３１の後端部には、背面板６６Ａが設けられている。図１に示すように、天板３１の幅方向の中央では、天板３１の後部に、目隠し板６６Ｂが設けられている。
【００４０】
側板パネル５０と仕切りパネル５６との間において、天板３１の作業面３１ｕにはトレイ（下部支持部材）７０が載置されている。
【００４１】
図４は、天板昇降式デスク１００のトレイ７０及びその周辺を示す拡大図である。図５は、トレイ７０の斜視図である。
図４及び図５に示すように、トレイ７０は、平面視矩形状に形成されたトレイ底板７１と、トレイ底板７１の側端部から立設されたトレイ側板７２と、トレイ底板７１の後端部から立設されたトレイ後板７３と、トレイ底板７１の前端部から立設されたトレイ前縁部７４と、を有している。トレイ底板７１、トレイ側板７２、トレイ後板７３及びトレイ前縁部７４により、物品が収容可能な物品収容空間（物品収容部）Ｓ１が形成されている。各トレイ側板７２は、側板パネル５０及び仕切りパネル５６に当接または近接配置されている。
【００４２】
トレイ前縁部７４は、傾斜面７５と、溝部（下部支持部）７６と、を有している。傾斜面７５は、トレイ前縁部７４の前端部に設けられ、上方から下方に向かうにしたがって次第に前方に傾斜している。傾斜面７５は、側板パネル５０の傾斜面５２ｓ（図１参照）及び仕切りパネル５６の傾斜面５６ｓ（図１参照）に沿っている。
【００４３】
トレイ前縁部７４の上端部には、下方に凹む溝部７６が、天板３１の幅方向に沿って形成されている。
【００４４】
図６は、天板昇降式デスク１００のトレイ７０及びその周辺を示す拡大図であり、トレイ７０と棚板６０が対象物を支持した状態を示している。
図６に示すように、トレイ７０の溝部７６には、タブレット型コンピュータ等の電子機器（対象物）Ｅが載置されている。電子機器Ｅは、下端部（支持位置）Ｅ１が溝部７６に支持され、裏面であり下端部Ｅ１よりも上方の部分（支持位置）Ｅ２が棚板６０の前端部６０ｆに支持されている。
【００４５】
図３に示すように、トレイ７０は、トレイ後板７３が背面板６６Ａに当接して配置された収容位置において、電子機器Ｅは、上方が後傾した第一傾斜位置Ｘ１に沿って配置されている。
【００４６】
トレイ７０を前方に引き出すと、トレイ底板７１が天板３１の作業面３１ｕに沿って前方に移動する。各トレイ側板７２は側板パネル５０及び仕切りパネル５６に当接または近接配置されているため、トレイ７０は左右方向に移動が規制された状態で前方に移動する。トレイ７０が前方に引き出された引き出し位置において、電子機器Ｅは、第一傾斜位置Ｘ１よりも上方が大きく後傾した第二傾斜位置Ｘ２で配置されている。
【００４７】
側板パネル５０と仕切りパネル５６との間において、棚板６０の前端部の下部には、支持板６３が設けられている。例えば、側板パネル５０及び仕切りパネル５６に設けられたダボが支持板６３の端面に設けられたダボ穴に挿通されて、支持板６３は側板パネル５０と仕切りパネル５６との間に固定されている。なお、さらに支持板６３の上端部が棚板６０の下面に固定される構成であってもよい。支持板６３には、後述するコンセント６４や操作部６５が設けられている。
【００４８】
さらに、天板昇降式デスク１００は、中間支持体１２ｂ及び上部支持体１２ｃを昇降動作させる駆動モータ（不図示）と、中間支持体１２ｂ及び上部支持体１２ｃの昇降動作を制御する公知の制御ユニット（不図示）と、制御ユニットに昇降動作信号を入力するための操作部６５と、を備えている。
【００４９】
制御ユニットは、例えば、天板３１の下面３１ｃに固定された配線ダクト６７（図３参照）に載置されている。制御ユニットは、操作部６５及び外部電源に配線ケーブルＣで接続されている。制御ユニットと外部電源とを接続する配線ケーブルＣは、脚部材１２に沿って配置されたカバー部材６８の内部に配置されている。
【００５０】
利用者が操作部６５に対して所定の操作を入力すると、操作部６５から配線ケーブルを介し、制御ユニットに操作信号が送信される。制御ユニットは、操作部６５から操作信号を受信すると、受信した信号に基づいて脚部材１２に昇降動作を実行させる指令信号を出力する。各脚部材１２は、指令信号を受信すると、その指令信号に応じて、駆動モータが駆動し、中間支持体１２ｂ及び上部支持体１２ｃを昇降動作、天板体３０の高さの調整がされる。
【００５１】
このように構成された天板昇降式デスク１００では、床面Ｆ上に設置された脚体１により、天板３１の高さが変化し、これにともない天板３１に載置されたトレイ７０及び天板３１の上方に設けられた棚板６０の高さが変化する。これにより、トレイ７０及び棚板６０の前端部６０ｆに支持された電子機器Ｅの高さが変化する。利用者は、トレイ７０を前方に引き出すと電子機器Ｅが大きく後傾した姿勢になり、後方に押すと電子機器Ｅが鉛直方向に沿った姿勢や鉛直方向から小さく後傾した姿勢になる。よって、天板３１の高さの変化とともに変化する電子機器Ｅの高さに応じて、電子機器Ｅの傾きを変更しつつ、電子機器Ｅを支持することができる。
【００５２】
また、トレイ７０は、脚体１に支持された天板３１の載置面に載置されていて、天板３１上を前後方向に移動可能である。よって、トレイ７０を利用者に近接する方向（前方）に移動させることで電子機器Ｅが大きく後傾した姿勢になり、トレイ７０を利用者から離間する方向（後方）に移動させることで電子機器Ｅが鉛直方向に沿った姿勢や鉛直方向から小さく後傾した姿勢になる。よって、トレイ７０を天板３１上で移動させるだけで電子機器Ｅの傾きが変わるため、下部支持部材を簡易な構成とすることができる。
【００５３】
また、トレイ７０は、物品を収容可能な物品収容空間Ｓ１と、電子機器Ｅの下部を支持する溝部７６と、を有する。よって、トレイ７０自体で、物品の収容が可能であるとともに、電子機器Ｅの下部を支持可能であるため、物品収容部を別途設ける必要がなく、利便性が高い。
【００５４】
また、天板３１から上方に延び、前後方向に沿って配置され、左右方向に離間して配置された側板パネル５０及び仕切りパネル５６が設けられている。トレイ７０は側板パネル５０と仕切りパネル５６材との間に、側板パネル５０及び仕切りパネル５６に沿って配置されているため、トレイ７０は左右方向に移動が規制される。よって、トレイ７０を前後方向に移動させる際に、左右方向への位置ずれが抑制され、電子機器Ｅの傾きの調整がしやすい。
【００５５】
また、電子機器Ｅは天板３１の上方に設けられた棚板６０の前端部６０ｆに支持されている。よって、電子機器Ｅを支持する上部支持部材の構成を簡易な構成とすることができる。
【００５６】
なお、本発明の主旨を逸脱しない限り、上記実施の形態で挙げた構成を取捨選択したり、他の構成に適宜変更したりすることが可能である。
【００５７】
上記に示す実施形態では、下部支持部材及び上部支持部材のうち下部支持部材が対向方向に移動するように構成されているが本発明はこれに限られず、上部支持部材が対向方向に移動するように構成されていたり、あるいは下部支持部材及び上部支持部材の両方が対向方向に移動するように構成されていてもよい。上部支持部材が対向方向に移動するように構成として、例えば、上部支持部材として棚が、前後方向の長さを収縮する構成が採用される。
【００５８】
また、トレイは天板上に載置され、棚板は天板の上方に設けられているが、本発明はこれに限られず、天板に設けられたブラケットに下部支持部材及び上部支持部材が設けられていてもよい。また、トレイは左右両側等がレール等に支持された堅牢な構成であってもよい。
【００５９】
また、上記に示す実施形態では、下部支持部材及び上部支持部材に支持される対象物として、電子機器Ｅを例に挙げて説明したが、本発明はこれに限られない。対象物として、本や雑誌等の書物や、鏡等が採用される。
【００６０】
また、天板昇降式デスク１００は、天板３１が昇降可能であれば、例えば脚体１の構成、配置、設置本数等、他のいかなる構成としても良い。
【００６１】
また、駆動モータの構成についても、天板３１を昇降可能とするのであれば、他のいかなる構成としても良い。
【符号の説明】
【００６２】
１００…天板昇降式デスク（昇降式什器）
１…脚体
３…上部構造体
１０…下部構造体
１１…ベース部材
１２…脚部材
１２ａ…下部支持体
１２ｂ…中間支持体
１２ｃ…上部支持体
２…連結部材
３…上部構造体
３０…天板体
３１…天板
３１ｕ…作業面（載置面）
３６…下部補助部材
４０…引き出し
５０…側板パネル（移動規制部）
５６…仕切りパネル（移動規制部）
６０…棚板（上部支持部材）
６０ｆ…前端部
７０…トレイ（下部支持部材）
７６…溝部（下部支持部）
Ｅ…電子機器（対象物）
Ｆ…床面
Ｓ１…物品収容空間（物品収容部）
【図１】
2018068948.tif 000003
【図２】
2018068948.tif 000004
【図３】
2018068948.tif 000005
【図４】
2018068948.tif 000006
【図５】
2018068948.tif 000007
【図６】
2018068948.tif 000008